(57)【要約】【課題】  外部電源、外部機器を使用することなく、小型且つ簡単な構成で、電源として用いる２次電池を充電できるようにすること。【解決手段】  携帯電話１０は、通信時に操作される複数の入力キーを有し、電源として２次電池を用いている。各入力キーに対応する位置には、電力発生部２３内に圧電素子が配設され、各圧電素子は前記入力キーの操作によって電力を発生する。昇圧回路３１は、前記圧電素子の出力を充電に適した電圧に昇圧して２次電池１４を充電する。【選択図】  図３
2009225622.tif 000002
【特許請求の範囲】
【請求項１】
通信時に操作される複数の入力キーを有し、電源として２次電池を用いる携帯型通信装置において、
前記入力キーに対応する位置に配設され、前記入力キーの操作によって電力を発生する複数の圧電素子と、
前記圧電素子の出力を所定の電圧に変換して前記２次電池を充電する電圧変換手段とを備えて成ることを特徴とする携帯型通信装置。
【請求項２】
前記入力キーは押圧操作するように構成され、前記圧電素子は前記入力キーが押圧操作されることによって電力を発生することを特徴とする請求項１記載の携帯型通信装置。
【請求項３】
前記電圧変換手段は、複数の前記圧電素子の出力を所定の電圧に変換して前記２次電池を充電することを特徴とする請求項１又は２記載の携帯型通信装置。
【請求項４】
前記電圧変換手段は、前記圧電素子の出力を昇圧する昇圧手段を有することを特徴とする請求項１乃至３のいずれか一に記載の携帯型通信装置。
【発明の詳細な説明】
【技術分野】
【０００１】
本発明は、携帯電話等の携帯型通信装置に関し、特に、通信時に操作される複数の入力キーを有し、電源として２次電池を用いる携帯型通信装置に関する。
【背景技術】
【０００２】
従来から、携帯電話等の携帯通信機器が利用されている。
携帯通信機器の発達により通信機能のみならずマルチメディア端末としての進化を加速させている。
携帯通信機器の多機能化、利便性の向上にともない、機器の消費電力が増大し電池の消耗が激しくなり、外出先において電池が切れるケースが多くみられる。
電池切れによって携帯通信機器として使用できなくなること及び保存しているデータを全く参照できなくなることは致命的であり、また、電池切れに対応するためには常に外部の充電機器を携帯する必要があり不便極まりない。
【０００３】
一方、特許文献１には、機体内部に振り子式磁極を設け、身体が揺れるときに前記振り子式磁極が往復して発電し、携帯電話を充電する携帯電話用携帯型充電装置が開示されている。前記携帯型充電装置は、携帯電話と別体に構成されており、携帯電話とは別に携帯する必要があるため、前述したように不便極まりないという問題がある。
【０００４】
特許文献２には、キーによって圧電素子に圧力を加えて発電するようにしたノート型パソコン等の情報処理機器が開示されている。前記情報処理機器では、単に圧電素子で発生する電力を電源として利用しているにすぎないため、機器に必要な電圧の電力が得られない恐れがある。
また、特許文献３には、携帯電話機用充電機構が開示されている。前記充電機構では、磁気を帯びた部分と誘導コイルとを用いた構成である。したがって、構造が大きくなるため、携帯電話等に用いる場合には、小型化が困難になるという問題がある。
【０００５】
【特許文献１】実用新案登録第３０７６４８１号公報
【特許文献２】特開２００１−１５４７８３号公報
【特許文献３】特開２００３−２９８７３１号公報
【発明の開示】
【発明が解決しようとする課題】
【０００６】
本発明は、外部電源、外部機器を使用することなく、小型且つ簡単な構成で、電源として用いる２次電池を充電できるようにすることを課題としている。
【課題を解決するための手段】
【０００７】
本発明によれば、通信時に操作される複数の入力キーを有し、電源として２次電池を用いる携帯型通信装置において、前記入力キーに対応する位置に配設され、前記入力キーの操作によって電力を発生する複数の圧電素子と、前記圧電素子の出力を所定の電圧に変換して前記２次電池を充電する電圧変換手段とを備えて成ることを特徴とする携帯型通信装置が提供される。
入力キーに対応する位置に配設された圧電素子は、前記入力キーの操作によって電力を発生する。電圧変換手段は、前記圧電素子の出力を所定の電圧に変換して、電源として用いられる２次電池を充電する。
【０００８】
ここで、前記入力キーは押圧操作するように構成され、前記圧電素子は前記入力キーが押圧操作されることによって電力を発生するように構成してもよい。
また、前記電圧変換手段は、複数の前記圧電素子の出力を所定の電圧に変換して前記２次電池を充電するように構成してもよい。
また、前記電圧変換手段は、前記圧電素子の出力を昇圧する昇圧手段を有するように構成してもよい。
【発明の効果】
【０００９】
本発明に係る携帯型通信装置によれば、外部電源、外部機器を使用することなく、小型且つ簡単な構成で、電源として用いる２次電池を充電することが可能になる。
【発明を実施するための最良の形態】
【００１０】
以下、本発明の実施の形態に係る携帯型通信装置について説明する。尚、各図において、同一部分には同一符号を付している。
図１は、本発明の実施の形態に係る携帯型通信装置のブロック図であり、携帯電話の例を示している。
【００１１】
図１において、携帯電話１０は、表示部１１、通信時に使用する複数のキーによって構成された操作部１２、２次電池１４を充電する充電部１３、携帯電話１０の電源として用いられる２次電池１４、中央処理装置（ＣＰＵ）によって構成され携帯電話１０の各構成要素を制御する制御部１５、制御部１５が実行するプログラムや電子メール等の各種データを記憶するメモリ１６、アンテナ１８を介して無線によって信号の送受信を行う無線部１７、アンテナ１８、音声や報知音を出力するレシーバ１９、音声を入力するマイク２０を備えている。
【００１２】
ここで、操作部１２は操作手段を構成し、充電部１３は充電手段を構成している。制御部１５は制御手段を構成し、無線部１７及びアンテナ１８は送受信手段を構成し、メモリ１６は記憶手段を構成している。
図２は、本発明の実施の形態に係る携帯電話１０の一部構成を示すブロック図である。
【００１３】
図２において、操作部１２は、押圧操作加工に構成された複数の入力キー２１を備えている。また、電力発生部２３は、各入力キー２１に対応する位置に配設された複数の圧電素子２２を備えている。各入力キー２１は人の指により押圧操作されることにより、押圧操作された入力キー２１に下に対応して配設された圧電素子２２を加圧する。各加圧された圧電素子２２は起電力を発生させ、複数の圧電素子２２が発生したエネルギは後述する昇圧回路３１へ出力される。尚、電力発生部２３は電力発生手段を構成している。
【００１４】
図３は、本発明の実施の形態に係る携帯電話１０における充電に関連する部分を示すブロック図である。
図３において、電力発生部２３によって発生した電力を昇圧回路３１に入力して、電力発生部２３が発生した電力の電圧を昇圧回路３１によって昇圧し、２次電池１４を充電するのに適切な電圧に変換する。尚、昇圧回路３１は電圧変換手段、昇圧手段を構成している。
昇圧された電圧は携帯電話１０に内蔵された２次電池１４を充電する。尚、２次電池１４は従来から用いられている公知の外部充電システム３２とも接続されており、外部電源３３から充電システム３２を介して充電される機能も有している。
【００１５】
以上説明したように、本実施の形態に係る携帯電話１０は、入力インターフェースである操作部１２の複数のキー２１の下に対応付けて複数の圧電素子２２を配置する。各圧電素子２２は対応するキー２１を押すことにより加圧され起電力が生じる。複数の圧電素子２２より生じた電圧を昇圧回路３１に入力させ充電に適切な電圧に変換させる。昇圧された電圧を２次電池１４に供給させ充電させる。
【００１６】
このように、携帯電話１０は、通信時に操作される複数の入力キーを有し、電源として２次電池を用いている。各入力キーに対応する位置には、電力発生部２３内に圧電素子が配設され、各圧電素子は前記入力キーの操作によって電力を発生する。昇圧回路３１は、前記圧電素子の出力を充電に適した電圧に昇圧して２次電池１４を充電する。
【００１７】
したがって、外部電源、外部機器を使用することなく、小型且つ簡単な構成で、電源として用いる２次電池を充電することが可能になる。
また、入力キー２１に対向させて圧電素子２２を配置することによって発生する電力により、外部電源、外部機器を用いずに携帯電話１０単体で充電できる。これにより、電池切れの場合でも入力キー２１を押圧操作することにより再び電源ＯＮが可能となり、また普段使用する場合においても自然と電池１４の持ちがよくなるという効果を奏する。
【００１８】
携帯電話１０の入力キー２１下に圧電素子２２を配置させることで生じさせる起電力を用いて２次電池１４を充電させるようにしたので、外部電源、外部機器を用いることなく携帯通信機器を充電させることができる。
尚、前記実施の形態では、携帯型通信装置が携帯電話の例で説明したが、ＰＨＳ（Personal Handyphone System）、ＰＤＡ（Personal Data Assistance,Personal Digital Assistants：個人向け携帯型情報通信機器）等の通信機能を有する通信装置にも利用可能である。
【産業上の利用可能性】
【００１９】
携帯電話、ＰＨＳ、ＰＤＡ等の携帯型通信装置に利用可能である。
【図面の簡単な説明】
【００２０】
【図１】本発明の実施の形態に係る携帯型通信装置のブロック図である。
【図２】本発明の実施の形態に係る携帯型通信装置の部分ブロック図である。
【図３】本発明の実施の形態に係る携帯型通信装置の部分ブロック図である。
【符号の説明】
【００２１】
１０・・・携帯電話
１１・・・表示部
１２・・・操作部１２
１３・・・充電部
１４・・・２次電池
１５・・・制御部
１６・・・メモリ
１７・・・無線部
１８・・・アンテナ
１９・・・レシーバ
２０・・・マイク
２１・・・入力キー
２２・・・圧電素子
２３・・・電力発生部
３１・・・昇圧回路
３２・・・充電システム
３３・・・外部電源
【図１】
2009225622.tif 000003
【図２】
2009225622.tif 000004
【図３】
2009225622.tif 000005